(57)【要約】 【課題】  外部からコネクターの可動ピンを操作することができないこと。【解決手段】  固定側のシリンダー筒３と、シリンダー筒３に内装されたシリンダーと錠箱内の錠機構部との間に介在する可動側のコネクター５と、シリンダー筒に回動自在に外挿し、かつサムターン機能を有する筒状操作体６と、この操作体の切欠状制御係合部２４に係合するように前記コネクターに固設された可動ピン７と、操作体とシリンダー筒との間に設けられたロック手段１１とを備えた錠前の防犯構造であって、前記操作体６のコネクター５を制御する筒状制御部６ａに、可動ピン用切欠状制御係合部２４を遮蔽する筒状防御体１５を外嵌合したことを特徴とする錠前の防犯構造。【選択図】  図１
2005179944.tif 000002
【特許請求の範囲】
【請求項１】
固定側のシリンダー筒３と、シリンダー筒３に内装されたシリンダーと錠箱内の錠機構部との間に介在する可動側のコネクター５と、シリンダー筒に回動自在に外挿し、かつサムターン機能を有する筒状操作体６と、この操作体の切欠状制御係合部２４に係合するように前記コネクターに固設された可動ピン７と、操作体とシリンダー筒との間に設けられたロック手段１１とを備えた錠前の防犯構造であって、前記操作体６のコネクター５を制御する筒状制御部６ａに、可動ピン用切欠状制御係合部２４を遮蔽する筒状防御体１５を外嵌合したことを特徴とする錠前の防犯構造。
【請求項２】
請求項１に於いて、錠前は、非常用の扉に取付けられた非常解錠装置であることを特徴とする錠前の防犯構造。
【請求項３】
請求項１に於いて、筒状操作体６Ａとシリンター筒１Ａとをストッパー手段３１を介して一体的に固定したことを特徴とする錠前の防犯構造。
【請求項４】
請求項１に於いて、錠前の防犯構造は、操作体を包囲するカバー１２を備え、該カバー１２Ａと筒状操作体６Ａとをストッパー手段３１を介して一体的に固定したことを特徴とする錠前の防犯構造。
【発明の詳細な説明】
【技術分野】
【０００１】
本発明は、非常解錠装置などの錠前の防犯構造に関する。
【背景技術】
【０００２】
特許文献１には、「内側にシリンダーを支持したシリンダー筒と、シリンダーに備えられる回動自在な回動片と錠機構部とを連結するコネクターと、シリンダー筒に回動自在に外挿した筒状の非常開ハンドルと、コネクターに設けられ半径方向へ突出するコネクター直結ピンと、非常開ハンドルの内周に移動自在に設けられ、かつコネクター直結ピンに掛止腕を引っ掛けてシリンダー筒への非係合状態を保持する一方、非常開ハンドルの回転によってコネクター直結ピンへの掛止腕の掛止を解除し、付勢手段によって軸線方向に突出してシリンダー筒に係合する逆転防止板を具備した非常解錠装置」が記載されている。
【０００３】
上記構成に於いて、シリンダーと錠箱の錠機構部との間に介在するコネクターは、本来、室内側から合鍵をシリンダーに差し込み、該シリンダーの駆動片（回動片）を解錠方向へ操作することにより、又は非常時、シリンダー筒に外嵌合したサムターン機能を有する筒状操作体（非常開ハンドル）を解錠方向へ回すことにより、錠機構部を構成するダルマ等を介してデッドボルトを解錠するものである。
【０００４】
しかしながら、近年、泥棒が、例えば扉の外壁面側からシリンダー筒の付近に切削ドリル等の工具で孔を開け、針金を用いてコネクター直結ピンを解錠方向へ回す侵入手口が懸念されている。そこで、防犯上、その対策を講じる必要性が要望されている。
【特許文献１】特開２００７０１９４２号公報
【発明の開示】
【発明が解決しようとする課題】
【０００５】
本発明の第１の目的は、扉の外壁面側からシリンダー筒の付近に切削ドリル等の工具で孔を開け、針金を用いて合鍵又は筒状操作体の操作力により解錠方向へ回転するコネクターを解錠方向へ回す泥棒の侵入手口に対処することである。第２の目的は、第１の目的を前提にし、侵入工具による筒状操作体の回転を著しく困難にすることである。
【課題を解決するための手段】
【０００６】
本発明の錠前の防犯構造は、固定側のシリンダー筒３と、シリンダー筒３に内装されたシリンダーと錠箱内の錠機構部との間に介在する可動側のコネクター５と、シリンダー筒に回動自在に外挿し、かつサムターン機能を有する筒状操作体６と、この操作体の切欠状制御係合部２４に係合するように前記コネクターに固設された可動ピン７と、操作体とシリンダー筒との間に設けられたロック手段１１とを備えた錠前の防犯構造であって、前記操作体６のコネクター５を制御する筒状制御部６ａに、可動ピン用切欠状制御係合部２４を遮蔽する筒状防御体１５を外嵌合したことを特徴とする。
【０００７】
上記構成に於いて、筒状操作体６Ａとシリンター筒１Ａとをストッパー手段３１を介して一体的に固定したことを特徴とする。また、錠前の防犯構造は、操作体を包囲するカバー１２を備え、該カバー１２Ａと筒状操作体６Ａとをストッパー手段３１を介して一体的に固定したことを特徴とする。
【発明の効果】
【０００８】
（１）泥棒が扉の外壁面側から針金を用いて筒状操作体を解錠方向へ回そうとしても、該操作体の筒状制御部に、その切欠状制御係合部を遮蔽する筒状防御体が外嵌合しているので、コネクターの可動ピンを操作することができない。したがって、防犯効果に優れている。
（２）侵入工具による筒状操作体の回転を著しく困難である。
【発明を実施するための最良の形態】
【０００９】
（１）主たる発明と従たる発明
まず、本発明の錠前の一例としての非常解錠装置の防犯構造は、シリンダー２と錠箱１４の錠機構部との間に介在するコネクター５の可動ピン７が扉１３の外壁面１３ａから侵入する工具（例えば針金）によって操作されないように、固定側のシリンダー筒３に外嵌合した筒状操作体（例えば非常開ハンドル）６に筒状防御体１５を外嵌合したことである（主たる発明）。また、回動自在な筒状操作体６Ａが前記工具によって自由に操作されないように、固定部材としてのシリンター筒３Ａ又は／及び箱状カバー１２Ａと筒状操作体６Ａとをストッパー手段３１を介して一体的に連結したことである（従たる発明）。
【００１０】
（２）明細書の技術的用語
実施の環境の説明は第１発明のみならず第２発明にもあてはまる。実施の環境は背景技術の特許文献１と同じなので、明細書の技術的用語は特許文献１のそれと同一又は同様の用語を使用する。また、本発明の特定要件に直接関係ない部材については、詳論を極力割愛する。次に本発明の主要部の構成を具体的に説明する。
【００１１】
（３）発明の実施の環境
図１乃至図１０は本発明の第１実施例である。図１を参照にして本発明の実施の環境を説明する。この非常解錠装置１は、内周壁にシリンダー２を支持したシリンダー筒３と、駆動片４を備えたシリンダー２と錠箱１４内の錠機構部との間に介在する短円柱状のコネクター（回転体）５と、シリンダー筒３に回動自在に外挿した筒状非常開ハンドル（操作体）６と、この非常開ハンドル６の周方向の切欠状制御係合部２４と係合するように前記コネクター５に固定的に設けられたコネクター直結ピン（可動ピン）７と、前記非常開ハンドル６とシリンダー筒３との間に設けられ、かつ非常開ハンドルを解錠方向へ所定量回すとシリンダー筒に係止される逆転防止板９及び付勢バネ１０を備えたロック手段１１と、非常開ハンドル６を全体或いは部分的に包囲するカバー１２と、コネクター５の直結ピン（可動ピン）７が扉１３の外壁面１３ａ或いは錠箱（特にプロテクターの存在しないもの）１４側から侵入する工具（例えば針金）によって操作されないように非常開ハンドル６に外嵌合した筒状防御体１５とから構成されている。以下、これらの構成部材を中心に説明する。
【００１２】
（４）非常扉１３、錠箱１４、シリンダー２など
まず、非常用の扉１３の内部には錠機構部を有する錠箱１４が設けられている。錠箱１４の錠機構部は、入力部材（ダルマ）を介してデッドボルトを進退させ、これにより非常扉１３の解錠を可能とする。非常扉１３は、錠箱１４に対して回転不能（固定）となったシリンダー筒３を直接又は間接的に備えている。なお、シリンダー筒３は、非常扉１３又は錠箱１４に固定される。
【００１３】
図１で示すように、シリンダー筒３は内周壁にシリンダー２を支持している。シリンダー筒３の先端には、内筒２ａ表出用の孔を穿設してあり、この内筒表出孔からはシリンダー２の内筒２ａが表出する。シリンダー２は、内筒２ａの表出端面にキー挿入孔を有している。また内筒２ａは、合鍵をキー挿入孔に挿入操作することにより回動する。該駆動力はシリンダー２の後端から突出する駆動片４に出力される。駆動片４は、内筒２ａ及び外筒２ｂに対して回動自在である。
【００１４】
（５）シリンダー筒３
シリンダー筒（例えばサムターン取付け筒）３は、本実施例では一端部側が扉１３の内壁面１３ｂから突出し、一方、他端部が錠箱１４の幅広側壁に形成した嵌合孔に嵌合するように扉１３に固定される。
【００１５】
シリンダー筒３の構成について、図７の底部側を示す斜視図を基準にして説明する。シリンダー筒３は、長筒状の中空胴部３ａと、この中空胴部３ａの先端部側の開口を一部塞ぐ環状部３ｂとから成る。
【００１６】
しかして、１７，１７は中空胴部３ａの後端部外周壁の一部に対称的に突設された嵌合突起で、これらの嵌合突起１７，１７は、前述した錠箱１４の嵌合孔に嵌合する。１８は前記嵌合突起１７の一つ、或いは中空胴部３ａの後端部外周壁に小突起状に設けられたストッパー部で、このストッパー部１８は、扉１３の開き勝手が「左勝手」又は「右勝手」の場合に於いて、作動したロック手段１１の逆転防止板９の回転を阻止する。
【００１７】
１９はストッパー部１８を基準にして中空胴部３ａの後端部外周壁の一部に弧状に形成された案内長孔で、この案内長孔１９は、本実施例では扉１３に対する取付け状態に於いて、中空胴部３ａの底面側に形成されている（図１参照）。本実施例では、案内長孔１９は嵌合突起１７の内壁面の略中央部に突起状に形成されたストッパー部１８の前方直下に位置するように中空胴部３ａの周方向に弧状に形成されている。なお、中空胴部３ａには、左勝手、右勝手を考慮し、ストッパーピン用選択取付け孔を適宜に形成しても良い。その他細部の構成は割愛する。
【００１８】
（６）コネクター５とコネクター直結ピン７
コネクター５は、駆動片４又は非常開ハンドル６の駆動（操作）力により解錠方向へ回転する回転体である。コネクター５は、半径方向の外側に突出するコネクター可動ピン（直結ピン）７を有する。可動ピン７は、非常開ハンドル６の案内長孔１９と係合するようにコネクター５のメネジ部５ｃに固定的に取付けられる。
【００１９】
このコネクター直結ピン７は、シリンダー筒３の案内長孔（ガイド穴）１９を介してシリンダー筒３の外周面から突出する。したがって、合鍵の操作力によりコネクター５が回動すると、コネクター直結ピン７は、ガイド穴１９に沿ってシリンダー筒３の周方向を往復移動する反面、コネクター５は、非常時、非常開ハンドル６を操作すると、コネクター直結ピン７を介して解錠方向へ回転する。
【００２０】
コネクター５は、図７で示すように、シリンダー２側の前端面にシリンダー２の駆動片４が嵌入する直径方向の嵌入溝５ａを有する。また、図１０で示すように、コネクター５の後端面に錠箱１４内の錠機構部を構成する図示しないダルマに相対回転不能に係合する十字状の出力軸２２を有している。なお、特に図示しないが、コネクター５は、シリンダー筒３の後端内周に形成した固定溝に嵌着した固定リングによって、シリンダー筒３の後端からの脱落が防止されている。
【００２１】
（７）非常開ハンドル：操作体６
シリンダー筒３の外周には、筒状の非常開ハンドル６が外挿されている。非常開ハンドル６の形態は特に問わないが、本実施例では、外周前端の上下面に、略三角板形状の指掛板部が突設されている。この非常開ハンドル６は、図４及び図５で示すようにシリンダー筒３の中空胴部３ａに回転可能に装着される筒状制御部６ａと、この筒状制御部６ａの外端部の外周壁に突設された操作部６ｂとから成る。
【００２２】
しかして、２４は筒状制御部６ａの内端部の外周壁に周方向に沿って一部形成された制御係合部（例えば長孔、切欠部など）で、この制御係合部２４は、図４を基準にすると、上方の左右にはコネクターの可動ピン７用の押圧面２４ａ、２４ａが見える。なお、筒状制御部６ａは、本実施例では１個であるが、反対側の外周壁にも形成しても良い。
【００２３】
また非常開ハンドル６は、内端部の内周壁に逆転防止板９の形状に適合する単数又は複数個の装着溝（案内溝）２６，２６を有する。これらの案内溝２６，２６は、図５で示すように、例えば周方向に一部形成された第１遊嵌合溝と、この第１遊嵌合溝と直交する第２嵌合溝とから成り、逆転防止板９をシリンダー筒３のストッパー部１８に対して係脱する方向にそれぞれ案内する。なお、前記第２嵌合溝は、逆転防止板９の係合爪部が突出できるように内端面まで至っている。
【００２４】
ところで、シリンダー筒３の筒状制御部６ａの後端部外周壁は、図１で示すように断面段差状に形成され、この断面段差状の嵌合部に筒状防御体１５が外嵌合する。
【００２５】
（８）ロック手段１１
ロック手段１１は、前述したように、逆転防止板９と、これを常時一方向（非常開ハンドル６の後端側から突出する方向）に付勢する付勢バネ１０とから成る。逆転防止板９は略Ｔ字状に形成され、バー状当接部と掛止腕９ａを有している。また逆転防止板９は、非常開ハンドル６の内周に軸線方向へ移動自在に設けられている。さらに、逆転防止板９は、常態の施錠時、コネクター直結ピン７に掛止腕９ａを引っ掛けてシリンダー筒３への非係合状態を保持する一方、非常事態の解錠時、非常開ハンドル６の回転によってコネクター直結ピンへ７の掛止腕９ａの掛止を解除し、付勢手段１０によってシリンダー筒３の軸線方向に突出する。
【００２６】
（９）カバー１２
筒状カバー１２は、本実施例では、非常開ハンドル６の全体に包囲する。筒状カバー１２の外壁面の形態は特に問わないが、外周壁１２ａの断面が水平よりも多少傾斜状であるのが望ましい。また、外周壁１２ａと交差する垂直前壁１２ｂの適宜箇所には、逆転防止板９の施錠又は解除状態を識別する識別標識Ｍが見える表示窓１２ｃが形成されている。
【００２７】
（１０）筒状防御体１５
さて、筒状防御体１５が本発明の要部である。筒状防御体１５は、図４、図６等で示すように筒状に形成され、コネクター５の可動ピン（直結ピン）７が扉１３の外壁面１３ａ或いは錠箱１４側から侵入する工具（例えば針金）によって操作されないように非常開ハンドル６に外嵌合している。
【００２８】
筒状防御体１５の材質は特に問わないが、本実施例では、軸方向にスリット状の切欠部１６が形成されている。筒状防御体１５は、シリンダー筒３の断面段差状の嵌合部に後端面から嵌め込むので、材質自体に多少の弾性力があるのが望ましい。
【００２９】
しかし、弾性力を付与しない場合には、炭素綱を焼き入れ処理して形成された硬質防御部材であっても良い。図１及び図５で示すように、筒状防御体１５を非常開ハンドル６に後端部に嵌め込むと、非常開ハンドル６の切欠状制御部２４は完全に遮蔽される。
【００３０】
（１１）第１実施例の効果
したがって、泥棒が、扉の外壁面から侵入する工具（例えば針金）を差し込んで、可動ピン７を介してコネクター５を解錠方向へ回そうとしても、筒状防御体１５が障害となる。なお、非常時、非常解錠装置１の解錠する場合には、カバー１２を破壊し、非常開ハンドル６を解錠方向へ回す。
【００３１】
（１２）図１１乃至図１３は本発明の第２実施例である。
【００３２】
第２実施例は、第１実施例の主要部をそのまま含むので、本明細書に記載する。第２実施例は、前述したように、回動自在な筒状防御体が工具によって自由に操作されないように、固定部材としてのシリンター筒又は／及び箱状カバーと筒状防御体とをストッパー手段３１を介して一体的に連結している。
【００３３】
したがって、第１実施例の構成と同一の部分には同一又は同様の符号を付し、重複する説明を省略する。そこで、１Ａは錠前、１２Ａはカバー、６Ａは操作体（非常開ハンドル）、３Ａはシリンダー筒、３１はストッパー手段である。
【００３４】
しかして、前記カバー１２Ａの外周壁１２ａ及び非常開ハンドル６Ａの筒状制御部６ａにはストッパー手段３１用の貫通孔３２、３３がそれぞれ形成されていると共に、シリンダー筒３Ａの中空胴部３ａにはストッパー手段３１が螺合するメネジ３４が形成されている。
【００３５】
この第２実施例では、図１３で示すように、カバー１２Ａと、非常開ハンドル６Ａと、シリンダー筒３Ａとがストッパー手段３１の一例としてのオネジで一体的に固定されているので、非常開ハンドル６Ａを工具により解錠方向へ回転させることが非常に困難となる。
【実施例】
【００３６】
発明の実施の形態で示した第２実施例に於いて、（１）筒状操作体６Ａとシリンター筒１Ａとをストッパー手段３１を介して一体的に固定しても良い。（２）また箱状カバー１２Ａと筒状操作体６Ａとをストッパー手段３１を介して一体的に固定しても良い。
【産業上の利用可能性】
【００３７】
本発明は、非常解錠装置などの錠前の防犯構造であるから、主に錠前や建具業界で利用される。
【図面の簡単な説明】
【００３８】
図１乃至図１０は本発明の第１実施例を示す各概略説明図、図１１乃至図１３は本発明の第２実施例を示す各概略説明図。
【図１】第１実施例の概略断面説明図。
【図２】正面視からの概略説明図。
【図３】正面視からの概略断面説明図。
【図４】主要部材を含む斜視図。
【図５】主要部材（操作体を底面部からみた）斜視図。
【図６】主要部材の組み合わせの斜視図。
【図７】要部（シリンター筒、コネクター）の斜視図。
【図８】シリンター筒、可動ピン、ロック手段の概略説明図。
【図９】操作体を解錠方向へ回した時の説明図。
【図１０】要部（コネクター）の斜視図。
【図１１】第１実施例の概略断面説明図。
【図１２】主要部材を含む斜視図。
【図１３】正面視からの概略断面説明図。
【符号の説明】
【００３９】
1．１Ａ…非常解錠装置、２…シリンダー、３．３Ａ…シリンダー筒、５…コネクター、６．６Ａ…非常開ハンドル（操作体）、７…可動ピン（直結ピン）、９…逆転防止板、１０…付勢バネ、１１…ロック手段、１２．１２Ａ…カバー、１３…扉、１３ａ…扉外壁面、１４…錠箱、１７…嵌合突起、１８…ストッパー部、１９…案内長孔、２４…制御係合部、２４ａ…可動ピン７用の押圧面、２６…案内溝、３１…ストッパー手段、３２．３３…貫通孔、３４…メネジ。
【図１】
2005179944.tif 000003
【図２】
2005179944.tif 000004
【図３】
2005179944.tif 000005
【図４】
2005179944.tif 000006
【図５】
2005179944.tif 000007
【図６】
2005179944.tif 000008
【図７】
2005179944.tif 000009
【図８】
2005179944.tif 000010
【図９】
2005179944.tif 000011
【図１０】
2005179944.tif 000012
【図１１】
2005179944.tif 000013
【図１２】
2005179944.tif 000014
【図１３】
2005179944.tif 000015